(57)【要約】【課題】作動受け側要素を平面上に配置できるシフトレバー装置の提供。【解決手段】ベース２０と、シフトレバー３０と、非接触スイッチ４０と、スライダ５０とを、有し、シフトレバー３０は、ベース２０にＸ方向とＹ方向に回動可能に支持されており、シフトレバー３０とともに動く第１、第２のスライダ作動部３２、３３を備えており、非接触スイッチ４０は、スライダ５０に設けられた作動側要素４１と、ベース２０に設けられ一平面２３ａ上に配置された作動受け側要素４２とを、備えており、スライダ５０は、平面２３ａに平行な面上のみを移動可能にベース２０に支持されており、第１のスライダ作動部３２と接触する第１の作動部受け部５２と、第２のスライダ作動部３３と接触する第２の作動部受け部５３とを備えている、シフトレバー装置１０。【選択図】        図１
2004359185.tif 000002
【特許請求の範囲】
【請求項１】
（ａ）ベースと、（ｂ）シフトレバーと、（ｃ）非接触スイッチと、（ｄ）スライダとを、有し、
（ｂ）前記シフトレバーは、前記ベースにＸ方向と該Ｘ方向と直交するＹ方向に回動可能に支持されており、前記シフトレバーとともに動く第１、第２のスライダ作動部を備えており、
（ｃ）前記非接触スイッチは、前記スライダに設けられた作動側要素と、前記ベースに設けられ一平面上に配置された作動受け側要素とを、備えており、
（ｄ）前記スライダは、前記作動受け側要素が配置される面に平行な面上のみを移動可能に前記ベースに支持されており、前記第１のスライダ作動部と接触する第１の作動部受け部と、前記第２のスライダ作動部と接触する第２の作動部受け部とを備えている、
シフトレバー装置。
【請求項２】
前記第１、第２のスライダ作動部の形状は球状であり、
前記第１のスライダ作動部の中心と前記第２のスライダ作動部の中心とを結ぶ直線が、前記シフトレバーの軸芯と直交する、請求項１記載のシフトレバー装置。
【発明の詳細な説明】
【０００１】
【発明の属する技術分野】
本発明は非接触スイッチを有する車両用シフトレバー装置に関する。
【０００２】
【従来の技術】
従来のシフトレバー装置は、たとえば特開平８−３０３５６３号公報に開示されている。
上記公報に開示されたシフトレバー装置は、作動側要素と作動受け側要素を備えた非接触スイッチを有している。作動受け側要素は湾曲面上に配置されている。
【０００３】
【特許文献１】
特開平８−３０３５６３号公報
【０００４】
【発明が解決しようとする課題】
しかし、従来のシフトレバー装置には、つぎの問題点（課題）がある。
作動受け側要素を平面上に配置したいというニーズに対応できない。
本発明の目的は、作動受け側要素を平面上に配置できるシフトレバー装置を提供することにある。
【０００５】
【課題を解決するための手段】
上記目的を達成する本発明はつぎの通りである。
（１）  （ａ）ベースと、（ｂ）シフトレバーと、（ｃ）非接触スイッチと、（ｄ）スライダとを、有し、
（ｂ）前記シフトレバーは、前記ベースにＸ方向と該Ｘ方向と直交するＹ方向に回動可能に支持されており、前記シフトレバーとともに動く第１、第２のスライダ作動部を備えており、
（ｃ）前記非接触スイッチは、前記スライダに設けられた作動側要素と、前記ベースに設けられ一平面上に配置された作動受け側要素とを、備えており、
（ｄ）前記スライダは、前記作動受け側要素が配置される面に平行な面上のみを移動可能に前記ベースに支持されており、前記第１のスライダ作動部と接触する第１の作動部受け部と、前記第２のスライダ作動部と接触する第２の作動部受け部とを備えている、
シフトレバー装置。
（２）  前記第１、第２のスライダ作動部の形状は球状であり、
前記第１のスライダ作動部の中心と前記第２のスライダ作動部の中心とを結ぶ直線が、前記シフトレバーの軸芯と直交する、請求項１記載のシフトレバー装置。
【０００６】
上記（１）、（２）のシフトレバー装置では、スライダが設けられているので、作動受け側要素を平面上に配置したいというニーズに対応できる。
また、シフトレバーが第１、第２のスライダ作動部を備えており、スライダが第１、第２の作動部受け部を備えているので、シフトレバーを動かしたとき、２つのスライダ作動部と２つの作動部受け部とでスライダを動かすことができる。（シフトレバーの動きに対するスライダの動きを２箇所で規制できる）。そのため、スライダがシフトレバーに対して予期せぬ回転動をすることを防止できる。
【０００７】
【発明の実施の形態】
図１〜図３は、本発明実施例のシフトレバー装置を示している。
本発明実施例のシフトレバー装置（以下、単にシフトレバー装置という）は、シフトレバーが車両前後・左右方向に移動可能であって分岐のないシフトパターンを有するゲート式のシフトレバー装置であってもよく、十字形のシフトパターンを有するジョイスティックタイプのシフトレバー装置であってもよい。また、シフトレバー装置は、Ｍ位置、＋位置、−位置を有するシーケンシャルモードを備えたシフトレバー装置であってもよい。
シフトレバー装置１０は、図１に示すように、ベース２０と、シフトレバー３０と、非接触スイッチ４０と、スライダ５０とを、有する。
【０００８】
ベース２０は、ベース本体２１と、ベース本体２１に固定されたＥＣＵケース２２と、ＥＣＵケース２２に固定されるプリント基板２３とを、有する。
ＥＣＵケース２２は、ベース本体２１に一体に形成されていてもよく、ベース本体２１と別体に形成されてベース本体２１に固定して取付けられていてもよい。ＥＣＵケース２２の上面は、平面である。
プリント基板２３は、ＥＣＵケース２２内に配置されている。
【０００９】
シフトレバー３０は、シフトレバー本体３１と、第１、第２のスライダ作動部３２、３３を、有する。
シフトレバー本体３１は、上下方向に直線状に延びている。シフトレバー本体３１は、上下方向中間部で、ベース２０に、Ｘ方向（たとえば、車両左右方向）とＸ方向と直交するＹ方向（たとえば、車両前後方向）に回動可能に支持されている。
第１、第２のスライダ作動部３２、３３は、シフトレバー本体３１の下端部に設けられている。第１、第２のスライダ作動部３２、３３の形状は、球状である。第１のスライダ作動部３２の中心と第２のスライダ作動部３３の中心とを結ぶ直線Ａは、シフトレバー３０の軸芯Ｂと直交する。第１のスライダ作動部３２の中心と第２のスライダ作動部３３の中心は、シフトレバー３０の軸芯Ｂと直交する同一面上にある。
第１のスライダ作動部３２の中心は、シフトレバー本体３１の長手方向の延長上にある。
第２のスライダ作動部３３の中心は、シフトレバー本体３１の長手方向の延長上とは異なる位置にある。第２のスライダ作動部３３の中心は、第１のスライダ作動部３２の中心からＸ方向のみに異なる位置にあるか、または、第１のスライダ作動部３２の中心からＹ方向のみに異なる位置にある（図示例では、Ｙ方向のみに異なる位置にある場合を示している）。
【００１０】
非接触スイッチ４０は、リードスイッチであってもよく、ホール素子を用いたスイッチであってもよく、光センサを用いたスイッチであってもよい。以下、本発明実施例では、非接触スイッチ４０がホール素子を用いたスイッチである場合を例にとって説明する。
非接触スイッチ４０は、作動側要素４１と、作動受け側要素４２とを、有する。
作動側要素４１は、スライダ５０に設けられる。作動受け側要素４２は、ベース本体２１またはＥＣＵケース２２またはプリント基板２３に設けられる（図示例では、作動受け側要素４２がプリント基板２３に設けられる場合を示している）。以下、本発明実施例では、作動受け側要素４２がプリント基板２３に設けられる場合を例にとって説明する。
【００１１】
作動側要素４１は、永久磁石または電磁石からなる。
作動受け側要素４２は、ホール素子からなる。作動受け側要素４２は、複数設けられている。作動受け側要素４２は、プリント基板２３のシフトレバー３０側の平面２３ａに配置されている。作動受け側要素４２の、作動側要素４１と対向する面は、プリント基板２３の平面２３ａと平行な平面である。作動受け側要素４２は、作動側要素４１と対向する面と直交する方向の磁界だけを検出するようにされていることが望ましい。
【００１２】
スライダ５０は、図３に示すように、ほぼ板状である。スライダ５０は、図２に示すように、シフトレバー３０の下側に配置されている。スライダ５０は、作動受け側要素４２が配置される平面２３ａに平行またはほぼ平行な面上のみを移動可能にベース２０に支持されている。スライダ５０の下面５０ａには、ベース２０との摺動抵抗を小にするために、複数の突起５１が設けられている。スライダ５０の上面５０ｂは、ベース２０に設けられるリブ２４と接触可能である。
スライダ５０は、図１に示すように、第１のスライダ作動部３２と接触する第１の作動部受け部５２と、第２のスライダ作動部３３と接触する第２の作動部受け部５３とを、有する。
第１、第２の作動部受け部５２、５３は、スライダ５０の上面５０ｂから上方に突出して設けられている。
【００１３】
第１の作動部受け部５２の形状は、上方に開放する筒状または箱状である。第１の作動部受け部５２の横断面形状は、円形であってもよく、四角形であってもよい（図示例では、四角形である場合を示している）。第１の作動部受け部５２の内側に、第１のスライダ作動部３２が入り込む。第１のスライダ作動部３２は、第１の作動部受け部５２の内側面に接触する。第１のスライダ作動部３２が第１の作動部受け部５２内に入り込んでいるので、シフトレバー３０をベース２０に対して移動させたとき、スライダ５０は、第１の作動部受け部５２が第１のスライダ作動部３２により押され、ベース２０に対して移動する。
【００１４】
第２の作動部受け部５３は、互いに対向する２つの壁からなる。第２の作動部受け部５３は、▲１▼第２のスライダ作動部３３の中心が第１のスライダ作動部３２の中心からＸ方向のみに異なる位置にある場合、Ｘ方向に延びる２つの壁からなり、▲２▼第２のスライダ作動部３３の中心が第１のスライダ作動部３２の中心からＹ方向のみに異なる位置にある場合、Ｙ方向に延びる２つの壁からなる（図示例では、第２の作動部受け部５３がＹ方向に延びる２つの壁からなる場合を示している）。
第２の作動部受け部５３の内側に、第２のスライダ作動部３３が入り込む。第２のスライダ作動部３３は、第２の作動部受け部５３の内側面に接触する。第２のスライダ作動部３３が第２の作動部受け部５３の内側面に接触するので、走行時の振動等があっても、スライダ５０がシフトレバー３０に対して勝手に回転することはない。
【００１５】
つぎに、本発明実施例の作用を説明する。
第１、第２のスライダ作動部３２、３３がシフトレバー３０の回動中心を中心とする湾曲面上を動いてもスライダ５０が一平面上のみを動くので、作動受け側要素４２を一平面上に配置しても、作動側要素４１と作動受け側要素４２との間のギャップ（間隔）を一定にできる。したがって、作動受け側要素４２を平面上に配置したいというニーズに対応できる。
【００１６】
シフトレバー３０が第１、第２のスライダ作動部３２、３３を備えており、スライダ５０が第１、第２の作動部受け部５２、５３を備えているので、シフトレバー３０を動かしたとき、２つのスライダ作動部３２、３３と２つの作動部受け部５２、５３とでスライダ５０を動かすことができる（シフトレバー３０の動きに対するスライダ５０の動きを２箇所で規制できる）。そのため、スライダ５０がシフトレバー３０に対して予期せぬ回転動をすることを防止できる。
また、第１のスライダ作動部３２の中心と第２のスライダ作動部３３の中心とを結ぶ直線Ａがシフトレバー３０の軸芯Ｂと直交するので、スライダ５０がシフトレバー３０に対して回転することはない。
【００１７】
【発明の効果】
請求項１記載のシフトレバー装置によれば、スライダが設けられているので、作動受け側要素を平面上に配置したいというニーズに対応できる。
請求項２記載のシフトレバー装置によれば、第１のスライダ作動部の中心と第２のスライダ作動部の中心とを結ぶ直線がシフトレバーの軸芯と直交するので、スライダがシフトレバーに対して回転することはない。
【図面の簡単な説明】
【図１】本発明実施例のシフトレバー装置の、断面図である。
【図２】本発明実施例のシフトレバー装置の、図１と直交する方向から見たときの断面図である。
【図３】本発明実施例のシフトレバー回動軸受装置を有するシフトレバー装置の、透視底面図である。
【符号の説明】
１０  シフトレバー装置
２０  ベース
２１  ベース本体
２２  ＥＣＵケース
２３  プリント基板
３０  シフトレバー
３１  シフトレバー本体
３２  第１のスライダ作動部
３３  第２のスライダ作動部
４０  非接触スイッチ
４１  作動側要素
４２  作動受け側要素
５０  スライダ
５２  第１の作動部受け部
５３  第２の作動部受け部
Ａ  第１のスライダ作動部の中心と第２のスライダ作動部の中心を結ぶ直線
Ｂ  シフトレバーの軸芯
【図１】
2004359185.tif 000003
【図２】
2004359185.tif 000004
【図３】
2004359185.tif 000005